(57)【要約】【課題】小型化および組立て性の向上を図ることができるとともに、優れた音質で音声再生が可能な電子機器を提供する。【解決手段】電子機器の筐体４は、音放射用の開口４０が形成された第１カバーおよび第２カバーを有している。第１カバーの内面には開口を囲んで位置した環状のリブ４４が設けられている。第２カバーには、前記第１カバーに向かって突出した支持部４８が設けられている。スピーカユニット３０は、コーンおよびコーンの周縁部を支持したフレーム３４を有し、筐体内に配設されている。スピーカユニットのフレームは、支持部上に支持され第１カバーのリブと支持部との間に挟持された状態で保持され、フレーム、コーン、第１カバーおよびリブにより、第カバーの開口に連通したチャンバ５２を形成している。【選択図】    図５
2006108791.tif 000002
【特許請求の範囲】
【請求項１】
音放射用の開口および前記開口を囲んで位置した環状のリブが内面に設けられた第１カバーと、前記第１カバーに対向しているとともに、前記第１カバーに向かって突出した支持部を有する第２カバーと、を具備した筐体と、
コーンおよび前記コーンの周縁部を支持したフレームを有し、前記筐体内に配設されたスピーカユニットと、を備え、
前記スピーカユニットの前記フレームは、前記支持部上に支持され前記第１カバーのリブと前記支持部との間に挟持された状態で保持され、前記フレーム、コーン、第１カバーおよびリブにより、前記第カバーの開口に連通したチャンバを形成している電子機器。
【請求項２】
前記スピーカユニットは、前記フレームの周縁部に装着され前記コーンを囲んだ弾性部材を有し、前記弾性部材は、前記第１カバーのリブに密着している請求項１に記載の電子機器。
【請求項３】
前記支持部は、前記第２カバーの内面に立設された複数の支持ポストを有し、各支持ポストの延出端は前記スピーカユニットのフレームに係合している請求項１又は２に記載の電子機器。
【請求項４】
前記第２カバーは、前記スピーカユニットの周囲を囲んで立設されているとともに前記第１カバーに当接し、前記スピーカユニットおよび前記リブの周囲に第２チャンパを形成した隔壁を有している請求項１ないし３のいずれか１項に記載の電子機器。
【請求項５】
前記隔壁は筐体内に開口したポートを有し、前記第２チャンバ内に配設されているとともに前記ポートに連通した音響管を更に備えている請求項４に記載の電子機器。
【発明の詳細な説明】
【技術分野】
【０００１】
本発明は、パーソナルコンピュータ、携帯端末等の電子機器に関し、特に、音声再生用のスピーカを内蔵した電子機器に関する。
【背景技術】
【０００２】
ノート形のポータブルコンピュータや移動体通信機器に代表される携帯型の電子機器は、筐体と筐体内に内蔵され音声再生用のスピーカとを備えている。近年、ＣＤドライブ、ＤＶＤドライブ等の進歩に伴い、携帯型の電子機器により音楽再生を行ったり、あるいは、映画等の画像を見る機会が増加している。これに伴い、内蔵スピーカユニットにも音質の優れた高性能なものが要望されている。
【０００３】
一般に、スピーカは、スピーカユニットおよびこのスピーユニットが収められたスピーカボックス、つまり、エンクロージャを備え、エンクロージャと共に電子機器の筐体内に配置および固定されている。あるいは、エンクロージャを用いることなく、スピーカユニットを筐体の内面に直接ねじ止めすることにより、電子機器内に組み込んだ実装方法が提案されている（例えば、特許文献１）。
【特許文献１】特開２０００−１１２５６８号公報
【発明の開示】
【発明が解決しようとする課題】
【０００４】
上記のように、スピーカユニットがエンクロージャに収めれている場合、スピーカ自体が大型となり易く、電子機器の筐体内に大きな設置スペースを必要とする。そのため、このようなスピーカは、小型の電子機器等に好適ではない。また、スピーカ自体のコストも高くなる。
【０００５】
スピーカユニットを筐体に直接ねじ止めした実装構造の場合、電子機器の組立て時、スピーカの配線等の接続、引き回しが面倒となる。同時に、ねじ止め作業が面倒であり、組立て効率の点で望ましくない。また、通常、筐体には、音放出用の開口が必要となるが、スピーカユニットを筐体の内面に密着して固定した場合、音放出用の開口をスピーカユニットのコーンとほぼ同一形状に形成し、かつ、コーンを完全に対向した位置に設ける必要がある。そのため、音放出用開口の形成位置、デザイン等が制約されてしまう。
【０００６】
この発明は、以上の点に鑑みなされたもので、その目的は、小型化および組立て性の向上を図ることができるとともに、優れた音質で音声再生が可能な電子機器を提供することにある。
【課題を解決するための手段】
【０００７】
上記目的を達成するため、この発明の態様に係る電子機器は、音放射用の開口および前記開口を囲んで位置した環状のリブが内面に設けられた第１カバーと、前記第１カバーに対向しているとともに、前記第１カバーに向かって突出した支持部を有する第２カバーと、を具備した筐体と、コーンおよび前記コーンの周縁部を支持したフレームを有し、前記筐体内に配設されたスピーカユニットと、を備え、  
前記スピーカユニットの前記フレームは、前記支持部上に支持され前記第１カバーのリブと前記支持部との間に挟持された状態で保持され、前記フレーム、コーン、第１カバーおよびリブにより、前記第カバーの開口に連通したチャンバを形成している。
【発明の効果】
【０００８】
本発明によれば、小型化および組立て性の向上を図ることができるとともに、優れた音質で音声再生が可能な電子機器を提供することができる。
【発明を実施するための最良の形態】
【０００９】
以下図面を参照しながら、この発明に係る電子機器をポータブルコンピュータに適用した第１の実施形態について詳細に説明する。  
図１に示すように、ポータブルコンピュータ１は、機器本体２と、この機器本体２に支持されたディスプレイユニット３とを備えている。機器本体２は、例えば合成樹脂で形成された筐体４を備えている。筐体４は、第１カバーとして機能するトップカバー４ａ、および第２カバーとして機能するベースカバー５を有し偏平な矩形箱状をなしている。ベースカバー５は、トップカバー４ａと対向した底壁４ｂ、底壁の周囲に立設された左右の側壁４ｃ、前壁４ｄおよび後壁４ｅを一体に有している。
【００１０】
筐体４において、トップカバー４ａの中央部にはキーボード１０が設けられ、また、上面後端部には種々のインジケータ１１が設けられている。トップカバー４ａの上面前端部はパームレスト部１２を構成し、このパームレスト部のほぼ中央にはタッチパッド１４およびクリックボタン１６が設けられている。後述するように、筐体４内の前端部左右には、それぞれスピーカが収納されている。
【００１１】
ディスプレイユニット３は、偏平な矩形箱状のハウジング１８と、ハウジング内に収納された液晶表示パネル２０とを備えている。液晶表示パネル２０は、ハウジング１８に形成された表示窓２１を介して外部に露出している。ハウジング１８は、その一端部から突出した一対の脚部２２を有している。これらの脚部２２は、図示しないヒンジ部を介して、筐体４の後端部に回動自在に支持されている。これにより、ディスプレイユニット３は、キーボード１０を上方から覆うように倒される閉じ位置と、キーボード１０の後方において起立する開き位置とに亘って回動可能となっている。
【００１２】
筐体４の前端部内には左右一対のスピーカユニット３０が実装され、筐体４の幅方に離間して配置されている。ここでは、一方のスピーカユニット３０を代表して詳細に説明する。図２、図４、および図５に示すように、スピーカユニット３０は、例えば、ほぼ楕円形状のコーン３２、コーンの周縁部を支持した矩形枠状のフレーム３４、および、フレームに支持されコーンを駆動する磁石３５を有し、一体的に形成されている。フレーム３４の４つの角部には、それぞれ透孔３６が形成されている。また、スピーカユニット３０は、フレーム３４の周縁部に装着されコーン３２を囲んだ枠状の弾性部材３８を有している。この弾性部材３８は弾性を有した材料、例えば、ゴムにより形成されている。
【００１３】
次に、スピーカユニット３０が実装されている筐体４の実装構造について説明する。図１ないし図５に示すように、トップカバー４ａの前端部両角部には、音放出用の開口４０が形成され、筐体４内部に連通している。開口４０は例えば円形に形成され、この開口には、ゴミの侵入を防止するメッシュ４２により覆われている。トップカバー４ａの内面には、開口４０を囲んで位置した矩形環状のリブ４４が突設されている。更に、トップカバー４ａの内面には、例えばスポンジで形成されたＬ字状のガスケット４６が貼付され、リブ４４の周囲を囲んで位置している。ガスケット４６は、所定の幅および厚さに形成されている。
【００１４】
トップカバー４ａと隙間を置いて対向しているベースカバー５の底壁４ｂにおいて、前端部両角部には、トップカバーに向かって突出した複数、例えば、４本の支持ポスト４８が立設されている。各支持ポストは、例えば十字形状の横断面を有しているとともに、その延出端の中心部には係合ピン５０が一体的に突設されている。４本の支持ポスト４８は、スピーカユニット３０のフレーム３４に対応した矩形の角部に立設され、スピーカユニット３０を支持する支持部を構成している。
【００１５】
ベースカバー５の底壁４ｂには、側壁４ｃおよび前壁４ｄに繋がった隔壁５３が一体的に立設されている。隔壁５３はほぼＬ字状に形成され、４本の支持ポスト４８を囲んで位置している。隔壁５３は側壁４ｃおよび前壁４ｄとほぼ等しい高さに形成されている。
【００１６】
図２、図４、および図５に示すように、スピーカユニット３０のフレーム３４は、４本の支持ポスト４８の延出端上に載置され、かつ、各支持ポストの係合ピン５０がフレーム３４の透孔３６に係合することにより、所定の位置に位置決めされている。この状態で、ベースカバー５に重ねてトップカバー４ａが装着されている。そして、トップカバー４ａのリブ４４が弾性部材３８を介してフレーム３４に当接している。
【００１７】
これにより、スピーカユニット３０は、フレーム３４が支持ポスト４８とリブ４４との間に挟持された状態で、筐体４内の所定位置に支持および固定されている。また、フレーム３４は弾性部材３８を介してリブ４４に密着し、フレーム３４、コーン３２、トップカバー４ａおよびリブ４４により、トップカバーの開口４０に連通した第１チャンバ５２を形成している。そして、コーン３２の前面側と背面側とは、フレーム３４、コーン３２、トップカバー４ａおよびリブ４４により気密に仕切られている。
【００１８】
ベースカバー５の隔壁５３は、ガスケット４６を介してトップカバー４ａの内面に当接している。ベースカバー５の底壁４ｂ、側壁４ｃ、前壁４ｄ、隔壁５３、およびトップカバー４ａにより、スピーカユニット３０の背面側およびリブ４４を収納した第２チャンパ５４が形成されている。スピーカユニット３０のコーン３２前面から放射される音は、第１チャンバ５２および開口４０を介して筐体４の外方に放射される。
【００１９】
以上のように構成されたポータブルコンピュータによれば、筐体４内に配設されたスピーカユニット３０は、独立したエンクロージャを有することなく、スピーカユニットのみで構成されている。そのため、筐体４内におけるスピーカの設置スペースを小さくし、筐体全体の小型化を図ることができるとともにコスト削減を図ることが可能となる。また、スピーカユニット３０は、ベースカバー５に設けられた支持ポスト４８とトップカバー４ａに設けられたリブ４４との間に挟持された状態で、筐体４内の所定位置に支持および固定されている。そのため、スピーカユニット３０の実装にねじを用いる必要がなく、組立て性が向上するとともに製造コスト低減を図ることができる。
【００２０】
また、スピーカユニット３０の前面側は、リブ４４、フレーム３４、トップカバー４ａにより形成された第１チャンバ５２に対向し、スピーカユニットの背面側と気密に仕切られている。そのため、スピーカユニット３０の前面側から放射された音と、背面側から放射された音との干渉を防止し、優れた音質の音声再生を実現することができる。この際、スピーカユニット３０の背面側は、筐体４内部から気密に仕切られた第２チャンバ５４内に配置されているため、スピーカユニット３０の音響特性を向上することができる。
【００２１】
更に、スピーカユニット３０の前面側には第１チャンバ５２が形成され、この第１チャンバ５２およびトップカバー４ａの開口４０を通して、スピーカの音を外部に放出する。この場合、開口４０をスピーカユニット３０のコーン３２と同一形状に形成する必要がなく、かつ、コーンを完全に対向した位置に設ける必要もない。そのため、音放出用  開口４０の形状、形成位置等を任意に選択することができ、自由なデザインとすることが可能となる。
【００２２】
なお、フレーム３４に弾性部材３８を装着した場合、フレーム３４とリブ４４との密着性および気密性を上げる上で有利となるが、フレームとリブとを十分に密着させることができる場合は、弾性部材３８を省略してもよい。
【００２３】
上述したポータブルコンピュータによれば、密閉された第１チャンバ５２を備えていることから良好な音響効果が得られる。そのため、第２チャンバ５４を形成しているベースカバー５の隔壁５３は省略してもよい。
【００２４】
また、第２チャンバ５４を設けた場合、バスレフ構造とすることにより第２チャンバ５４をより有効に利用することができる。すなわち、図６に示すように、この発明の第２の実施形態に係るポータブルコンピュータによれば、隔壁５３は、筐体４内に開口したポート６０を有している。第２チャンバ５４内には、ポート６０に連通した音響管６２が配設されている。また、ベースカバー５の前壁４ｄには、第２チャンバ５４の外側で筐体４内に連通した低音放射用の開口６４が形成されている。
【００２５】
第２の実施形態において、他の構成は前述した第１の実施形態と同一であり、同一の部分には同一の参照符号を付してその詳細な説明を省略する。第２の実施形態によれば、スピーカユニット３０の背面側から第２チャンバ５４内に放射された音の低音領域を音響管６２により増強し、筐体４から外部に放射する。豊かな低音を有した音声再生が可能となる。その他、第２の実施形態においても、前述した第１の実施形態と同様の作用効果を得ることができる。
【００２６】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００２７】
その他、この発明はポータブルコンピュータに限らず、ＰＤＡ（パーソナル・デジタル・アシスタント）、携帯端末、電子手帳等の他の電子機器にも適用可能である。また、スピーカユニットの数は、２つに限らず、１つあるいは３つ以上としてもよい。
【図面の簡単な説明】
【００２８】
【図１】図１は、この発明の第１の実施形態に係るポータブルコンピュータを示す斜視図。
【図２】図２は、上記ポータブルコンピュータの筐体およびスピーカユニットを示す分解斜視図。
【図３】図３は、前記筐体のトップカバー内面を示す斜視図。
【図４】図４は、前記筐体のベースカバーおよびスピーカユニットを示す斜視図。
【図５】図５は、図１の線Ａ−Ａに沿った上記ポータブルコンピュータの断面図。
【図６】図６は、この発明の第２の実施形態に係るポータブルコンピュータの筐体およびスピーカユニットを示す斜視図。
【符号の説明】
【００２９】
２…機器本体、    ３…ディスプレイユニット
４…筐体、  ４ａ…トップカバー、  ４ｂ…底壁、  ４ｃ…側壁、  ４ｄ…前壁、
５…ベースカバー、  ３０…スピーカユニット、  ３２…コーン、
３４…フレーム、  ３８…弾性部材、  ４０…開口、  ４４…リブ、
４８…支持ポスト、  ５２…第１チャンバ、  ５３…隔壁、
６０…ポート、  ６２…音響管
【図１】
2006108791.tif 000003
【図２】
2006108791.tif 000004
【図３】
2006108791.tif 000005
【図４】
2006108791.tif 000006
【図５】
2006108791.tif 000007
【図６】
2006108791.tif 000008